(57)【要約】【課題】手間をかけることなく、コンパクトに収納することができる消臭殺菌装置を提供する。【解決手段】この消臭殺菌装置１は、折畳み可能で、かつ組立て状態で略密閉な小部屋Ｒ１を構成する外郭２と、この外郭２内に収容される被消臭物５の上方に設けられるオゾン発生装置４とを備えている。そして、外郭２の底面部７Ｅに、被消臭物５を載置するための載置台８を設け、この載置台８に、被消臭物５の下面５１に臨むとともにオゾンを流通させるオゾン流通部８３を形成する。載置台８は、外郭２に一体に形成されており、外郭２の折畳み時に当該外郭２と共に折り畳まれるように構成されている。【選択図】図２
2008229127.tif 000002
【特許請求の範囲】
【請求項１】
折畳み可能で、かつ組立て状態で略密閉な小部屋を構成する外郭と、この外郭内に収容される被消臭物の上方に設けられるオゾン発生手段とを備えた消臭殺菌装置であって、
外郭の内底面に、被消臭物を載置するための載置部を設け、この載置部に、被消臭物の下面に臨むとともにオゾンを流通させるオゾン流通部を形成し、
前記載置部は、前記外郭に一体に形成され、外郭の折畳み時に当該外郭と共に折り畳まれることを特徴とする消臭殺菌装置。
【請求項２】
前記外郭は、バネ性を有する柔構造のフレームと、このフレームに支持されて小部屋の壁面を構成するシート部材とを含み、
前記載置部は、小部屋の底壁面を構成するシート部材の上方に対向配置され、当該シート部材との間に密閉空間を形成する変形自在なシート状の載置台であり、
前記密閉空間は、充填材が供給・排出されることで膨張・収縮するように構成されていることを特徴とする請求項１に記載の消臭殺菌装置。
【請求項３】
前記載置台の上面は、前記密閉空間に充填材が供給された状態で波形状を有しており、
前記オゾン流通部は、載置台の上面の谷部分であることを特徴とする請求項２に記載の消臭殺菌装置。
【請求項４】
オゾン発生手段に一端が接続されるとともに、他端がオゾン流通部の近傍に配されるパイプ状のオゾン流路を備えることを特徴とする請求項１〜３のいずれか一項に記載の消臭殺菌装置。
【請求項５】
前記小部屋内の下部に熱源を設けたことを特徴とする請求項１〜４のいずれか一項に記載の消臭殺菌装置。
【請求項６】
前記小部屋内のオゾン発生手段の近傍に、被消臭物に紫外線を照射するための紫外線照射手段を設けたことを特徴とする請求項１〜５のいずれか一項に記載の消臭殺菌装置。
【発明の詳細な説明】
【技術分野】
【０００１】
本発明は、ペット用品等の被消臭物に消臭殺菌処理を施す消臭殺菌装置に関する。
【背景技術】
【０００２】
従来、ペット用品、例えばペットの玩具やペットが使用するソファ、クッション等の消臭には、当該ペット用品（被消臭物）に液体系消臭剤を噴霧する方法が一般的に用いられているが、被消臭物の素材によっては、シミが発生する場合があるという不都合があった。
【０００３】
そこで、オゾンガス（以下、オゾン）を用いて消臭殺菌を行う技術が提案されている。例えば特許文献１には、被消臭物を収容する殺菌消毒室を備え、この殺菌消毒室内にオゾンを発生させて被消臭物の消臭を行う殺菌消毒装置が開示されている。前記殺菌消毒室は、折り畳み展開可能な包装幕で構成されている。また、殺菌消毒室内に台をセットし、被消臭物を台上に載置した状態で殺菌消毒処理を行うようになっている。
【特許文献１】特表２００３−５１２１３４号公報
【発明の開示】
【発明が解決しようとする課題】
【０００４】
しかしながら、特許文献１の殺菌消毒装置では、消毒室内の台を取り外すことなく当該消毒室を折り畳んだ場合には、台の分だけ嵩張るため、殺菌消毒装置をコンパクトに折り畳んで収納するには、殺菌消毒室から台を取り外す必要があり、手間がかかる。
【０００５】
この発明は、上記のような課題を解決するためになされたものであり、手間をかけることなく、コンパクトに収納することができる消臭殺菌装置を提供することを目的とする。
【課題を解決するための手段】
【０００６】
請求項１の発明は、折畳み可能で、かつ組立て状態で略密閉な小部屋を構成する外郭と、この外郭内に収容される被消臭物の上方に設けられるオゾン発生手段とを備えた消臭殺菌装置であって、外郭の内底面に、被消臭物を載置するための載置部を設け、この載置部に、被消臭物の下面に臨むとともにオゾンを流通させるオゾン流通部を形成し、前記載置部は、前記外郭に一体に形成され、外郭の折畳み時に当該外郭と共に折り畳まれることを特徴とするものである。
【０００７】
請求項２の発明は、請求項１に記載の消臭殺菌装置において、前記外郭は、バネ性を有する柔構造のフレームと、このフレームに支持されて小部屋の壁面を構成するシート部材とを含み、前記載置部は、小部屋の底壁面を構成するシート部材の上方に対向配置され、当該シート部材との間に密閉空間を形成するシート状の載置台であり、前記密閉空間は、充填材が供給・排出されることで膨張・収縮するように構成されていることを特徴とするものである。
【０００８】
請求項３の発明は、請求項２に記載の消臭殺菌装置において、前記載置台の上面は、前記密閉空間に充填材が供給された状態で波形状を有しており、前記オゾン流通部は、載置台の上面の谷部分であることを特徴とするものである。
【０００９】
請求項４の発明は、請求項１〜３のいずれか一項に記載の消臭殺菌装置において、オゾン発生手段に一端が接続されるとともに、他端がオゾン流通部の近傍に配されるパイプ状のオゾン流路を備えることを特徴とするものである。
【００１０】
請求項５の発明は、請求項１〜４のいずれか一項に記載の消臭殺菌装置において、前記小部屋内の下部に熱源を設けたことを特徴とするものである。
【００１１】
請求項６の発明は、請求項１〜５のいずれか一項に記載の消臭殺菌装置において、前記小部屋内のオゾン発生手段の近傍に、被消臭物に紫外線を照射するための紫外線照射手段を設けたことを特徴とするものである。
【発明の効果】
【００１２】
請求項１の発明によれば、載置部を折畳み自在な外郭と共に折り畳まれる構成としたので、消臭殺菌装置の収納時に載置部自体がコンパクトに折り畳まれ、嵩張らなくなる。これにより、載置部を外郭から取り外すことなく、当該装置をコンパクトに収納することができる。また、載置部が外郭に一体に形成されているため、組立時に載置部をセットする手間を省くことができるとともに、部品点数の増加を防ぐことができる。また、被消臭物の下面に臨むとともにオゾンを流通させるオゾン流通部を有する載置部を、外郭の内底面に設けることによって、オゾン流通部内のオゾンが被消臭物の下面に接触するので、被消臭物の下部にも十分な消臭殺菌処理を施すことができる。これにより、被消臭物全体を効率的に消臭殺菌することができる。
【００１３】
請求項２の発明によれば、載置部が変形自在なシート状の載置台であるので、小部屋の壁面がシート部材からなる構成において、容易に、載置部を外郭と共に折り畳むことができるようになる。また、密閉空間に気体や液体等の充填材を供給・排出することで密閉空間が膨張・収縮するため、外郭の組立後に密閉空間に充填材を供給するだけで載置部を形成することができるとともに、収納時には充填材を排出するだけで、即座に載置部を外郭と共に折り畳むことができる。さらに、密閉空間に封入される充填材の量を調整することにより、容易に、被消臭物の形状や容量に好適な載置部の膨らみ具合とすることができる。
【００１４】
請求項３の発明によれば、密閉空間に充填材を封入するだけで、載置台の上面に容易にオゾン流通部を形成することができる。
【００１５】
請求項４の発明によれば、オゾン発生手段からオゾン流通部へと続くオゾン流路を備えたので、被消臭物の下面にオゾンをより積極的に供給することができる。これにより、被消臭物に対してさらに効率的に消臭殺菌処理を行うことができる。
【００１６】
請求項５の発明によれば、小部屋内に（上昇）気流を発生させることができるので、オゾンの循環を促進することができる。また、小部屋内の気体が暖められることによって膨張し、小部屋内の気圧が上昇するので、被消臭物表面の臭い成分とオゾンとが反応しやすくなり、より効率的に消臭殺菌処理を行うことができる。なお、熱源は、被消臭物の下方、例えば載置部の上面や、載置部の下面、すなわち密閉空間の内側天面等に配置されるのが好ましい。
【００１７】
請求項６の発明によれば、オゾンのみならず紫外線によっても被消臭物を殺菌することができるので、被消臭物の殺菌処理をより確実に行うことができる。
【発明を実施するための最良の形態】
【００１８】
以下、本発明の実施形態を図面に基づいて説明する。
【００１９】
図１は、本発明の一実施形態による消臭殺菌装置の全体構成を示した外観斜視図であり、図２は、消臭殺菌装置の外郭内の構成を説明するための斜視図である。また、図３は、外郭の展開時および収納時の各態様を示した斜視図であり、図４は、オゾン発生装置の構成を示した斜視図である。また、図５は、オゾン発生装置の外郭への取付構成を示した概略図であり、図６は、外郭の載置台を示した断面図である。なお、図２では、シート部材７の前後左右の各面部７Ａ〜７Ｄを省略している。
【００２０】
本実施形態の消臭殺菌装置１は、ペットである犬、猫等の小動物が使用するペット用品（以下、被消臭物５）の消臭殺菌に好適に用いられるものである。なお、ペット用品以外の例えば靴類や乳幼児用品の消臭殺菌にも使用可能である。
【００２１】
この消臭殺菌装置１は、図１および図２に示すように、外郭２と、制御ボックス３と、オゾン発生装置４（図２参照）とを備えている。なお、オゾン発生装置４は、本発明の「オゾン発生手段」に相当する。
【００２２】
外郭２は、図３に示すように、収納時には平面状に折り畳まれる一方、使用時には略四角錐のテント状に展開され、略密閉な小部屋（ブース）Ｒ１を形成するようになっている。この外郭２は、フレーム６と、シート部材７と、載置台８とを含んでいる。
【００２３】
フレーム６は、バネ性を有する比較的柔軟な構造を有しており、小部屋Ｒ１の骨格として機能する。このフレーム６は、６つの部位、すなわち第１支持部６１〜第６支持部６６により構成されている。第１支持部６１は、当該装置１の左前方に配される支柱であり、第２支持部６２は、当該装置１の右前方に配される支柱であり、第３支持部６３は、当該装置１の左後方に配される支柱であり、第４支持部６４は、当該装置１の右後方に配される支柱である。また、第５支持部６５は、第１支持部６１の下端と第３支持部６３の下端とを連結するものであり、第６支持部６６は、第２支持部６２の下端と第４支持部６４の下端とを連結するものである。そして、本実施形態では、第１，第３，第５支持部６１，６３，６５によって１つのループが構成されており、第２，第４，第６支持部６２，６４，６６によってもう１つのループが構成されている。
【００２４】
このように構成されたフレーム６は、特開２００２−３０９８０４号公報等で周知のように、第１，第３，第５支持部６１，６３，６５（第２，第４，第６支持部６２，６４，６６）により構成されるループを８の字に捻り、これにより出来上がった２つの小型ループを互いに重ね合わせることによって、コンパクトに折り畳むことが可能となっている。
【００２５】
シート部材７は、フレーム６に支持されて小部屋Ｒ１の壁面を構成するものである。具体的には、シート部材７は、図１および図２に示すように、小部屋Ｒ１の前壁面を構成する前面部７Ａと、小部屋Ｒ１の後壁面を構成する後面部７Ｂと、小部屋Ｒ１の左右壁面を構成する左右面部７Ｃ，７Ｄと、小部屋Ｒ１の底壁面を構成する底面部７Ｅ（図２参照）とを含んでいる。
【００２６】
前面部７Ａには、図１に示すように、小部屋Ｒ１の内外を連通する開口（図示せず）と、この開口を開閉するための開閉部７１とが設けられている。そして、前面部７Ａの開口縁と開閉部７１の周縁部とを接離させるための一対の高密度ファスナー７２が、前面部７Ａの開口縁と開閉部７１の周縁部とに亘って設けられている。これらの高密度ファスナー７２は、互いに隣り合う位置までスライド移動することによって開口を閉鎖状態とし、小部屋Ｒ１を略密閉空間とすることができるようになっている。
【００２７】
また、一対の高密度ファスナー７２には、当該ファスナー７２同士を隣接位置でロックするための図略のインターロック機構が設けられている。このロック機構は、制御ボックス３に内蔵された制御装置によって、ロック・アンロック状態が切り替わるように制御される。なお、前記開閉部７１の外側にさらに別の開閉部を設けて２重窓構造とすることで、気密性をより高めるようにしてもよい。また、高密度ファスナー７２を覆うように高気密シートを設けることによって、開口に対するシール性を向上させてもよい。
【００２８】
また、前面部７Ａ，後面部７Ｂ，左右面部７Ｃ，７Ｄには、図５に示すように、オゾン発生装置４を小部屋Ｒ１内の上部位置で吊持するためのフック紐７３がそれぞれ取り付けられている。また、底面部７Ｅには、図６に示すように、後述する密閉空間Ｒ２に対して空気（充填材）を給排するためのエアー吹込み口７４が設けられている。このエアー吹込み口７４は、栓７５で閉鎖可能となっている。
【００２９】
なお、外郭２を構成するフレーム６およびシート部材７は、オゾンとの接触により早期に極端に劣化したり、被消臭物５を劣化させたりする等の影響が少ないものがよい。また、シート部材７は、オゾンの漏れを人体やペットに無害な程度まで抑制できる高気密なものであればよい。このようなシート部材７としては、例えばＣＲ（クロロプレンゴム）シート、ＥＰＤＭ（エチレン・プロピレンゴム）シート、ＩＩＲ（ブチルゴム）シート、ＣＳＭ（クロロスルホン化ポリエチレン）シート、ガスバリア性の高いナイロンシート、塩化ビニルシートが挙げられる。ただし、シート部材７の底面部７Ｅのうち少なくとも密閉空間Ｒ２を構成する部分は、密閉空間Ｒ２に封入される空気が外部に漏れ出すことのないような材質で構成される必要がある。
【００３０】
載置台８は、被消臭物５を載置するためのものである。この載置台８は、本実施形態では例えば変形自在なシート材からなり、外郭２の折畳み時に当該外郭２と共に折り畳まれるように構成されている。
【００３１】
詳細には、載置台８は、図６に示すように、シート部材７の底面部７Ｅに対向する姿勢で当該底面部７Ｅに一体に貼り付けられており、シート部材７との間に密閉空間Ｒ２を形成している。そして、載置台８は、図６に示すように、前後方向に延びつつ、左右方向に所定間隔を隔てて設けられた紐状の複数の規制部８１によってシート部材７の底面部７Ｅに接続されている。したがって、密閉空間Ｒ２に空気が供給されると（図６（ａ）参照）、載置台８のうち規制部８１に接続された部位が、上方への移動を規制され、これによって載置台８の上面が波形状（凹凸形状）を有することになる。なお、密閉空間Ｒ２に封入される媒体は、空気以外の気体、あるいは液体であってもよい。
【００３２】
このような載置台８上に載置された被消臭物５は、その下面５１が載置台８上面の凸状の接触部８２により支持されるようになっている。このため、載置台８上面の凹状部分（谷部分）であるオゾン流通部８３が、被消臭物５の下面５１に臨むとともに、オゾンを流通させるための通路としての機能を有することになる。なお、載置台８は、密閉空間Ｒ２に封入される空気（充填材）が空間外部に漏れ出すことのない材質により形成されており、例えば上記シート部材７と同一材料で構成されていてもよい。
【００３３】
制御ボックス３は、上記高密度ファスナー７２のロック機構のロック・アンロック状態の切替等を制御するものである。この制御ボックス３は、図示しないが、ＣＰＵ、ＲＡＭ、ＲＯＭ等からなる制御装置や、タイマー装置、電源スイッチ、稼働点検ランプ等を具備しており、電源コード９によって電源に接続されるとともに、シート部材７を貫通する本体側コード１０によって前記ロック機構に接続されている。
【００３４】
オゾン発生装置４は、消臭殺菌作用のあるオゾンを発生するものであり、被消臭物５の上方、本実施形態では小部屋Ｒ１の内側頂部に設けられている。このオゾン発生装置４のオゾンの生成方法としては、電極に交流高電圧を印加することで酸素含有気体中に放電を起こしてオゾンを発生させる放電法や、紫外線ランプからの紫外線を空気等に照射してオゾンを発生させる紫外線ランプ法が挙げられる。
【００３５】
また、オゾン発生装置４は、図４（ａ）に示すように、平面視略正方形のケーシング４１と、２つのオゾン吹出口４２と、ＵＶランプ（紫外線照射手段）４３と、４つのフック４４とを備えている。また、オゾン発生装置４には、図略のファンが内蔵されている。
【００３６】
オゾン吹出口４２は、ケーシング４１内で生成されたオゾンを放出するための開口部であり、ケーシング４１の下面にＵＶランプ４３を挟んで互いに対向するように設けられている。ＵＶランプ４３は、ＵＶ（紫外線）を被消臭物５に照射するためのものであり、ケーシング４１の下面中央に設けられている。このＵＶランプ４３からの紫外線によって、被消臭物５の殺菌処理をより確実に行うことができる。フック４４は、上述したシート部材７のフック紐７３を引っ掛けるためのものであり、これによって当該オゾン発生装置４が外郭２に吊り下げられた状態で保持されている。
【００３７】
なお、オゾン発生装置４は、図４（ｂ）に示すように、オゾン吹出口４２をケーシング４１の側面に設けた構成であってもよい。また、図４（ｃ），（ｄ）に示すように、平面視略円形のケーシング４１の下面や側面にオゾン吹出口４２を設けてもよい。また、上記各オゾン発生装置４を、モータ等の駆動力によって鉛直軸まわりに回転可能としてもよい。
【００３８】
以上のように構成された消臭殺菌装置１の具体的な使用方法について説明する。この消臭殺菌装置１は、図３に示すように、折り畳まれた状態で収納されており、使用に先立って、前記折り畳まれた状態からフレーム６に捻れを解く方向に外力を与えることによって、フレーム６の復元力によりテント状に展開され、これによって小部屋Ｒ１が形成される。そして、密閉空間Ｒ２に空気を封入することで、図６（ａ）のように上面が波形に隆起した載置台８が形成され、当該載置台８の上面に被消臭物５を載置することになる。次に、一対の高密度ファスナー７２を互いに隣り合う位置までスライド移動させて小部屋Ｒ１を略密閉状態にし、さらに、高密度ファスナー７２がインターロック機構によりロックされた状態にあることを制御ボックス３内の制御装置が検知することによって、処理の前準備が完了する。その後、オゾン発生装置４からのオゾンの噴出およびＵＶランプ４３からの紫外線の照射が開始され、消臭殺菌処理が行われる。
【００３９】
このとき、オゾン発生装置４から噴出したオゾンは、空気よりも重いため、その自重によって下方に移動して被消臭物５に降り注ぐ。なお、オゾン発生装置４に内蔵されたファンによってオゾンを被消臭物５に向けて積極的に散布するようにしてもよい。ここで、載置台８に載置された被消臭物５の下方には、オゾンを流通させるためのオゾン流通部８３が形成されているので、被消臭物５の下面５１にもオゾンが十分に供給され、これによって被消臭物５の下部の消臭殺菌処理が確実に行われる。
【００４０】
オゾンおよび紫外線による消臭殺菌が終了した後、オゾン発生装置４のファンを駆動させて小部屋Ｒ１内の空気を所定時間かき混ぜ、小部屋Ｒ１内のオゾン濃度を低下させる。そして、上記所定時間が経過すると、高密度ファスナー７２のロック状態が解除され、その後、高密度ファスナー７２を互いに離間するように移動させて小部屋Ｒ１を開放する。
【００４１】
そして、小部屋Ｒ１内から被消臭物５を取り出した後、消臭殺菌装置１を収納する。具体的には、まず、密閉空間Ｒ２内の空気を排出する。これは、底面部７Ｅの栓７５を外し、密閉空間Ｒ２に適度な外圧を加えることにより行われる（図６（ｂ）参照）。その後、フレーム６の上述した各ループを８の字に捻りつつ重ね合わせることにより外郭２を折り畳む。このとき、密閉空間Ｒ２を構成する載置台８がシート部材７の底面部７Ｅと共にコンパクトに折り畳まれるため、消臭殺菌装置１がコンパクトに収納される。
【００４２】
本実施形態では、上記のように、載置台８を折畳み自在な外郭２と共に折り畳まれる構成としたので、消臭殺菌装置１の収納時に載置台８自体がコンパクトに折り畳まれ、嵩張らなくなる。これにより、載置台８を外郭２から取り外すことなく、当該消臭殺菌装置１をコンパクトに収納することができる。また、載置台８がシート部材７の底面部７Ｅに一体に貼り付けられているため、組立時に載置台８をセットする手間を省くことができるとともに、部品点数の増加を防ぐことができる。また、被消臭物５の下面５１に臨むとともにオゾンを流通させるオゾン流通部８３を有する載置台８を、シート部材７の底面部７Ｅに設けることによって、オゾン流通部８３内のオゾンが被消臭物５の下面５１に接触するので、被消臭物５の下部にも十分な消臭殺菌処理を施すことができる。これにより、被消臭物５全体を効率的に消臭殺菌することができる。
【００４３】
また、本実施形態では、上記のように、外郭２を折畳み自在としたので、当該消臭殺菌装置１の収納時に嵩張らない。また、小部屋Ｒ１内にオゾン発生装置４を設けたので、外郭２を通してオゾンを供給するための設備が必要なくなる。さらに、オゾン発生装置４を被消臭物５の上方に設けることによって、空気よりも重いオゾンの自重によって被消臭物５にオゾンが自然に降り注ぐため、十分な消臭殺菌効果を容易に得ることができる。
【００４４】
また、本実施形態では、上記のように、載置台８が変形自在なシート状に形成されているため、容易に、載置台８を外郭２と共に折り畳むことができる。また、密閉空間Ｒ２に空気を供給・排出することで密閉空間Ｒ２が膨張・収縮するため、外郭２の組立後に密閉空間Ｒ２に空気を供給するだけで載置台８を形成することができるとともに、収納時には空気を排出するだけで、即座に載置台８を外郭２と共に折り畳むことができる。さらに、密閉空間Ｒ２に封入される空気の量を調整することにより、容易に、被消臭物５の形状や容量に好適な載置台８の膨らみ具合とすることができる。
【００４５】
また、本実施形態では、上記のように、密閉空間Ｒ２に空気が供給された状態で載置台８の上面が波形状となるように構成したので、密閉空間Ｒ２に空気を封入するだけで、載置台８の上面に容易にオゾン流通部８３を形成することができる。
【００４６】
また、本実施形態では、上記のように、一対の高密度ファスナー７２にインターロック機構を設けたので、小部屋Ｒ１を密閉する前にオゾン発生装置４からオゾンが噴出することや、小部屋Ｒ１内に多くのオゾンが残留しているのにもかかわらず小部屋Ｒ１が開放されるといった不都合の発生を未然に防止することができる。
【００４７】
なお、上記実施形態の消臭殺菌装置１において、オゾン流路１１をさらに備えた変形例１による消臭殺菌装置であってもよい。すなわち、この変形例１の消臭殺菌装置は、図７に示すように、オゾン発生装置４に一端が接続されるとともに、他端が載置台８のオゾン流通部８３の近傍に配される４つのパイプ状のオゾン流路１１を備えている。これらのオゾン流路１１は、それぞれ、各支持部６１〜６４に沿うように取り付けられている。このようにオゾン流路１１を設けることによって、被消臭物５の下面５１にオゾンをより積極的に供給することができるので、さらに効率的に消臭殺菌処理を行うことができる。
【００４８】
また、上記実施形態の消臭殺菌装置１において、熱源１２をさらに備えた変形例２による消臭殺菌装置であってもよい。すなわち、この変形例２の消臭殺菌装置は、図８に示すように、小部屋Ｒ１内の下部に熱源１２が設けられている。具体的には、熱源１２は、載置台８のオゾン流通部８３を構成する凹状部分の側面に各々取り付けられた細板状熱源である。このように熱源１２を小部屋Ｒ１内の下部に設けることによって、小部屋Ｒ１内に（上昇）気流を発生させることができるので、オゾンの循環を促進することができる。また、小部屋Ｒ１内の気体が暖められることによって膨張し、小部屋Ｒ１内の圧力が上がるので、被消臭物５表面の臭い成分とオゾンとが反応しやすくなり、より効率的に消臭殺菌処理を行うことができる。なお、熱源を、密閉空間Ｒ２内の天面や底面に取り付けてもよい。
【００４９】
また、上記実施形態の消臭殺菌装置１では、シート状の載置台８をシート部材７の底面部７Ｅの上面に一体に設け、密閉空間Ｒ２に空気を封入することによって載置台８の上面を凹凸形状に隆起させる構成について示したが、これに限らず、図９の他の実施形態に示すように、シート部材７の底面部７Ｅの下方に、上面が凹凸形状の嵩上げ部材１３を配設することによって、シート部材７の底面部７Ｅの上面を凹凸形状に隆起させる構成であってもよい。
【図面の簡単な説明】
【００５０】
【図１】本発明の一実施形態による消臭殺菌装置の全体構成を示した外観斜視図である。
【図２】消臭殺菌装置の外郭内の構成を説明するための斜視図である。
【図３】外郭の展開時および収納時の各態様を示した斜視図である。
【図４】オゾン発生装置の構成を示した斜視図である。
【図５】オゾン発生装置の外郭への取付構成を示した概略図である。
【図６】外郭の載置台を示した断面図である。
【図７】変形例１による消臭殺菌装置の構成を示した斜視図である。
【図８】変形例２による消臭殺菌装置の構成を部分的に示した断面図である。
【図９】他の実施形態による消臭殺菌装置の構成を部分的に示した断面図である。
【符号の説明】
【００５１】
１  消臭殺菌装置
２  外郭
４  オゾン発生装置（オゾン発生手段）
５  被消臭物
６  フレーム
７  シート部材
７Ｅ  底面部
８  載置台（載置部）
１１  オゾン流路
１２  熱源
４３  ＵＶランプ（紫外線照射手段）
８３  オゾン流通部
Ｒ１  小部屋
Ｒ２  密閉空間
【図１】
2008229127.tif 000003
【図２】
2008229127.tif 000004
【図３】
2008229127.tif 000005
【図４】
2008229127.tif 000006
【図５】
2008229127.tif 000007
【図６】
2008229127.tif 000008
【図７】
2008229127.tif 000009
【図８】
2008229127.tif 000010
【図９】
2008229127.tif 000011